(57)【要約】【課題】一定の単位に基づき、画像を並べて表示し、全体における現在の位置を示し、全体像や現在の進捗の位置を正確に把握できるようにする。【解決手段】表示入力装置は、複数種の機能を設定項目として表示する表示部と、呼び出すことにより予め選択、登録された前記設定項目を設定するための画面を表示部に表示させるプログラムを記憶する記憶部と、プログラムの呼出及び表示入力装置になされる設定入力を受け付ける入力部と、を有し、表示部は、プログラムが呼び出された際、現在位置を示すための位置表示画像、及び、プログラムに含まれる設定項目を設定する上で表示される、又は、表示された設定画面数を示す画面数表示画像を組み合わせた組み合わせ画像を、プログラムに含まれる前記設定項目ごとに、プログラムでの設定項目の表示順に並べて表示する。【選択図】図１１
2011164726.tif 000002
【特許請求の範囲】
【請求項１】
実行可能な複数種の機能を設定項目として表示する表示部と、
予め複数の設定項目の中から選択され、登録された前記設定項目の組み合わせであり、呼び出すことにより予め選択、登録された前記設定項目を設定するための画面を前記表示部に表示させるプログラムを記憶する記憶部と、
前記プログラムの呼出及び装置になされる設定入力を受け付ける入力部と、を有し、
前記表示部は、前記プログラムが呼び出された際、前記プログラム中で表示中であるか否かを示し、現在位置を示すための位置表示画像、及び、前記プログラムに含まれる前記設定項目を設定する上で表示される、又は、表示された設定画面数を示す画面数表示画像を組み合わせた組み合わせ画像を、前記プログラムに含まれる前記設定項目ごとに、前記プログラムでの前記設定項目の表示順に並べて表示することを特徴とする表示入力装置。
【請求項２】
前記プログラムは、前記プログラムでの設定の完了入力を受け付ける設定完了機能を前記設定項目の１つとして含み、
前記表示部は、前記プログラムが呼び出された際、並べて表示された前記組み合わせ画像の端位置に、設定完了機能の前記設定項目を示す前記組み合わせ画像を表示することを特徴とする請求項１記載の表示入力装置。
【請求項３】
前記表示部は、表示中の前記設定項目に対応する前記組み合わせ画像の前記位置表示画像と、表示していない前記設定項目に対応する前記組み合わせ画像の前記位置表示画像とを異ならせて表示することを特徴とする請求項１又は２に記載の表示入力装置。
【請求項４】
前記表示部は、設定未完了の前記設定項目に対応する前記画面数表示画像として、設定で表示され得る前記設定画面数を表示することを特徴とする請求項１乃至３の何れか１項に記載の表示入力装置。
【請求項５】
前記表示部は、設定が完了した前記設定項目に対応する前記画面数表示画像として、設定で実際に表示された前記設定画面の数を示す数字を表示することを特徴とする請求項１乃至４の何れか１項に記載の表示入力装置。
【請求項６】
前記表示部は、設定未完了の前記設定項目に対応する前記画面数表示画像と、設定が完了した前記設定項目に対応する前記画面数表示画像とを、前記位置表示画像に対し、異なる方向で配置して表示することを特徴とする請求項１乃至５の何れか１項に記載の表示入力装置。
【請求項７】
前記表示部は、設定完了機能の前記設定項目を示す前記組み合わせ画像の前記位置表示画像を、他の前記組み合わせ画像の前記位置表示画像と異ならせて表示することを特徴とする請求項２乃至６の何れか１項に記載の表示入力装置。
【請求項８】
前記請求項１乃至７の何れか１項に記載の表示入力装置を備えることを特徴とする画像形成装置。
【発明の詳細な説明】
【技術分野】
【０００１】
本発明は、表示部と、タッチパネル等の入力部を有する表示入力装置、及び、これを備えた複写機、複合機、プリンタ、ＦＡＸ装置等の画像形成装置に関する。
【背景技術】
【０００２】
例えば、複写機、複合機等の画像形成装置には、多数の機能が搭載される（例えば、拡大縮小、集約印刷、両面印刷等）。多数の機能や処理のうち、利用する機能を簡易に選び、設定を行えるように、例えば、画像形成装置では液晶表示部やタッチパネルを備えた画面付きの表示入力装置が設けられる。又、例えば、パーソナルコンピュータは、通常、キーボードやマウス等の入力装置と、ディスプレイ等の表示装置を備え、アプリケーションソフト等により、多数の処理を行うことができる。
【０００３】
ここで、液晶表示部やディスプレイの大きさには限界があり、１画面中に表示できる情報には限りがある。そこで、コンピュータでは、例えば、ページ単位で複数のデータを配列し、画面を遷移させて内容が確認される（例えば、電子文書ファイル）。例えば、特許文献１には、コンピュータに、電子データ処理手段に単位データに基づいて所定の処理を実行させるステップと、複数の前記単位データそれぞれに対応づけられた複数のリンクスポットが電子データと同じ並びのリンクスポットグラフをリンクスポットグラフ表示手段に表示させるステップと、マーク対象として指定された単位データに対応するリンクスポットの表示位置をマーク位置としてマーク位置決定手段に決定させるステップと、マーク表示手段に、マーク位置にマークを表示させるステップと、を実行させる電子データの全体に対する位置情報を表示するための位置情報表示プログラムが記載されている。これにより、電子データ全体に対する注目している単位データの位置を容易に知らせようとする（特許文献１：請求項１、段落［００２０］等参照）。
【先行技術文献】
【特許文献】
【０００４】
【特許文献１】特開２００６−２３６１４２号公報
【発明の概要】
【発明が解決しようとする課題】
【０００５】
ここで、画像形成装置の操作パネルでの画面表示において、表示させる設定項目や順序等を予めプログラムとして登録し、プログラムを呼び出すことで、プログラムに含められた設定項目順に、予め選ばれた設定項目用の設定画面を連続的に表示し、設定を行えるようにすれば、予め定められた設定項目について簡易に設定を行えるようになる。
【０００６】
そして、プログラム呼出時、１枚の設定画面につき、設定完了までに表示される設定画面を示す画像（例えば、アイコン、特許文献１でのリンクスポット）を１つ、並べて、画像形成装置の操作パネルに表示することが考えられる。しかし、画像形成装置の操作パネルでの表示領域の大きさは、コンピュータの表示領域よりも小さい。そのため、アイコンを表示しきれない、表示できても１つ当たりのアイコンが小さくなりすぎる、表示領域全体に対するアイコンの占有領域の割合が大きすぎる等、の問題が生じ得る。
【０００７】
１つの設定項目の設定を行うには、１又は複数の設定画面を表示させて設定を行う必要があり、設定項目の方が概念的に上位である。そこで、このようなプログラムによる画面表示で、プログラム内の設定項目を１つの単位として、設定項目を示す画像（例えば、アイコン）を１つずつ並べて、操作パネルに表示することが考えられる。
【０００８】
しかし、１つの設定項目で表示される設定画面の数は、設定項目によって様々である。そのため、単に、設定項目を１つの単位とし、アイコンを表示させて、そして、設定項目を示すアイコンに対し、現在位置を示す表示を行っても、全体の作業量や、あと何枚、画面を表示させれば完了するか、あと何回、設定値を設定すればよいか、等を把握できず、全体像や、現在の進捗状況を正確に把握し難いという問題がある。
【０００９】
ここで、特許文献１記載の発明では、確かに、電子データにおける現在位置等（現在閲覧しているデータの位置）を把握しやすい場合がある。しかし、リンクスポットに対応する単位データは、電子データを＜ａ ｎａｍｅ＞やファイル名などで２以上に区切ったときの１つ１つのデータをいい（特許文献１：段落［００２３］等参照）、それぞれの単位データの大きさ（含まれる情報量）は、均等ではない。例えば、複数の単位データのうち、一部の単位データのみ異様に大きければ、現在位置表示は必ずしも正確とはいえない。従って、特許文献１記載の発明では、上記の問題を解決できない。
【００１０】
本発明は、上記従来技術の問題点に鑑みてなされたものであり、一定の単位に基づき、画像を並べて表示し、全体における現在の位置を示す際、全体像や現在の進捗の位置を正確に把握できるようにすることを課題とする。
【課題を解決するための手段】
【００１１】
上記課題解決のため請求項１に係る表示入力装置は、実行可能な複数種の機能を設定項目として表示する表示部と、予め複数の設定項目の中から選択され、登録された前記設定項目の組み合わせであり、呼び出すことにより予め選択、登録された前記設定項目を設定するための画面を前記表示部に表示させるプログラムを記憶する記憶部と、前記プログラムの呼出及び装置になされる設定入力を受け付ける入力部と、を有し、前記表示部は、前記プログラムが呼び出された際、前記プログラム中で表示中であるか否かを示し、現在位置を示すための位置表示画像、及び、前記プログラムに含まれる前記設定項目を設定する上で表示される、又は、表示された設定画面数を示す画面数表示画像を組み合わせた組み合わせ画像を、前記プログラムに含まれる前記設定項目ごとに、前記プログラムでの前記設定項目の表示順に並べて表示することとした。
【００１２】
この構成によれば、プログラムが呼び出された際、プログラム中で表示中であるか否かを示すための位置表示画像、及び、プログラムに含まれる設定項目を設定する上で表示される又は表示された設定画面数を示す画面数表示画像を組み合わせた組み合わせ画像が、設定項目ごとに設定項目の表示順に並べて表示される。使用者は、位置表示画像を確認することで、現在設定中の設定項目を認識することができる。又、各組み合わせ画像の画面数表示画像を確認することで、設定すべき設定値の数や、以後表示される設定画面数等、使用者は、全体像を把握できる。又、位置表示画像と、画面数表示画像を確認することで、あと何枚、画面を表示させれば完了するか、あと何回、設定値を設定すればよいか、どれほど設定を終えたか等、使用者は、プログラムにおける現在の進捗状況を正確に把握することができる。
【００１３】
又、請求項２に係る発明は、請求項１の発明において、前記プログラムは、前記プログラムでの設定の完了入力を受け付ける設定完了機能を前記設定項目の１つとして含み、前記表示部は、前記プログラムが呼び出された際、並べて表示された前記組み合わせ画像の端位置に設定完了機能の前記設定項目を示す前記組み合わせ画像を表示することとした。
【００１４】
この構成によれば、プログラムが呼び出された際、並べて表示された組み合わせ画像の端位置に、設定完了機能の設定項目を示す組み合わせ画像が表示される。これにより、使用者は、並べて表示された各組み合わせ画像を見て、プログラムにおいて、設定完了までの設定項目はいくつあるか、設定項目をどれほど設定し終えたか等を確認できる。
【００１５】
又、請求項３に係る発明は、請求項１又は２の発明において、前記表示部は、表示中の前記設定項目に対応する前記組み合わせ画像の前記位置表示画像と、表示していない前記設定項目に対応する前記組み合わせ画像の前記位置表示画像とを異ならせて表示することとした。
【００１６】
この構成によれば、表示中の設定項目に対応する組み合わせ画像の位置表示画像は、表示していない設定項目に対応する組み合わせ画像の位置表示画像と、異なる態様で表示される。これにより、現在、表示されている設定画面が、プログラム中、何番目の設定項目に該当するか等、使用者は、プログラムにおける現在位置を確認することができる。又、使用者は、プログラムにおける現在の進捗の位置を正確に把握することができる。
【００１７】
又、請求項４に係る発明は、請求項１乃至３の発明において、前記表示部は、設定未完了の前記設定項目に対応する前記画面数表示画像として、設定で表示され得る前記設定画面数を表示することとした。
【００１８】
この構成によれば、設定未完了の設定項目に対応する画面数表示画像として、設定で表示され得る設定画面数を表示する。これにより、使用者は、設定未完了の設定項目での表示されうる設定画面の数を把握することができる。従って、使用者は、プログラムの全体像や、プログラムにおける現在の進捗の位置を正確に把握することができる。
【００１９】
又、請求項５に係る発明は、請求項１乃至４の発明において、前記表示部は、設定が完了した前記設定項目に対応する前記画面数表示画像として、設定で実際に表示された前記設定画面の数を示す数字を表示することとした。
【００２０】
この構成によれば、設定が完了した設定項目に対応する画面数表示画像として、設定で実際に表示された設定画面の数を示す数字が表示される。これにより、使用者は、設定が完了した設定項目で表示された設定画面の数を把握することができる。
【００２１】
又、請求項６に係る発明は、請求項１乃至５の発明において、前記表示部は、設定未完了の前記設定項目に対応する前記画面数表示画像と、設定が完了した前記設定項目に対応する前記画面数表示画像とを、前記位置表示画像に対し、異なる方向で配置して表示することとした。
【００２２】
この構成によれば、設定未完了の設定項目に対応する画面数表示画像と、設定が完了した設定項目に対応する画面数表示画像とが、位置表示画像に対し、異なる方向で配置して表示される。これにより、使用者は、画面数表示画像が設定未完了の設定項目の設定画面の数を示すものか、設定完了済の設定項目の設定画面の数を示すものか、容易に区別することができる。
【００２３】
又、請求項７に係る発明は、請求項２乃至６の発明において、前記表示部は、設定完了機能の前記設定項目を示す前記組み合わせ画像の前記位置表示画像を、他の前記組み合わせ画像の前記位置表示画像と異ならせて表示することとした。
【００２４】
この構成によれば、設定完了機能の設定項目を示す組み合わせ画像の位置表示画像は、他の組み合わせ画像の位置表示画像と、異なった態様で表示される。これにより、使用者は、設定完了機能の設定項目を示す画像の位置表示画像を設定完了組み合わせ画像の位置表示画像であることを容易に認識することができる。
【００２５】
又、請求項８に係る画像形成装置は、請求項１乃至７の何れか１項に記載の表示入力装置を備えることとした。
【００２６】
この構成によれば、使用者は、画像形成装置のプログラムの全体像を容易、正確に把握することができる。又、使用者は、画像形成装置のプログラムの設定を行う際、現在の進捗の位置を正確に把握することができる。
【発明の効果】
【００２７】
上述したように、本発明の表示入力装置を用いることで、
【図面の簡単な説明】
【００２８】
【図１】実施形態に係る複合機の一例を示す正面模型的断面図である。
【図２】実施形態に係る後処理装置の一例を示す正面模型的断面図である。
【図３】実施形態に係る操作パネルの一例を示す平面図である。
【図４】実施形態に係る複合機等のハードウェア構成の一例を示すブロック図である。
【図５】（ａ）、（ｂ）は、実施形態に係る設定項目の選択画面の一例を示す説明図である。
【図６】実施形態に係る集約機能の設定項目を選択した際の設定画面の一例を示す説明図である。
【図７】（ａ）は作成されたワークフローの名称入力画面の一例を示す説明図である。（ｂ）はワークフローを呼び出す際の表示形式を定めるため表示形式決定画面Ｄの一例を示す説明図である。
【図８】実施形態に係るワークフローを選ぶ際の呼出画面の一例を示す説明図である。
【図９】ワークフローをウィザード形式で表示した際の流れの一例を示す説明図である。
【図１０】ワークフローをメニュー形式で表示した際のメニュー画面の一例を示す説明図である。
【図１１】（ａ）〜（ｄ）は、実施形態に係る操作パネルでのウィザード形式での表示の際に表示されるナビゲーション画像の一例を示す説明図である。
【図１２】実施形態に係るナビゲーション画像の表示制御の一例を示すフローチャートである。
【発明を実施するための形態】
【００２９】
以下、本発明の実施形態を図１〜図１２を用いて説明する。ここで、本発明は、各種表示入力装置に適用可能であるが、操作パネル１（表示入力装置に相当）を例に挙げ、複合機１００（画像形成装置に相当）に取り付けられた場合を例に挙げて説明する。但し、本実施の形態に記載されている構成、配置等の各要素は、発明の範囲を限定するものではなく単なる説明例にすぎない。
【００３０】
（画像形成装置の概略）
まず、図１と図２を用いて、本発明の実施形態に係る複合機１００の概略を説明する。図１は本発明の実施形態に係る複合機１００の一例を示す正面模型的断面図である。図２は、本発明の実施形態に係る後処理装置２の一例を示す正面模型的断面図である。
【００３１】
図２に示すように、本実施形態の複合機１００（画像形成装置に相当）は、左側面に取り付けられたオプション装置としての後処理装置２を含む。後処理装置２は、複合機１００が印刷した用紙を取り込み、ステープル処理等の各種処理を行う。又、複合機１００の正面前方には、複合機１００に関して各種設定を行うための操作パネル１が設けられる（詳細は後述）。
【００３２】
図１に示すように、本実施形態の複合機１００は、上部に、画像読取部３と原稿搬送装置４が設けられる。複合機１００は、本体内部に、給紙部５ａ、搬送路５ｂ、画像形成部６、中間転写部７ａ、定着部７ｂ、排出搬送部８ａ、両面搬送路８ｂ等を備える。
【００３３】
原稿搬送装置４は、読み取る原稿を載置する原稿トレイ４１を有する。そして、原稿搬送装置４は、原稿トレイ４１から原稿を１枚ずつ、自動的に連続して読取位置（送り読取用コンタクトガラス３１）に搬送する。又、原稿搬送装置４は、図１の紙面奥側を支点として画像読取部３に上下方向に開閉自在に取り付けられ、画像読取部３のコンタクトガラス（送り読取用コンタクトガラス３１及び載置読取用コンタクトガラス３２）を上方から押さえるカバーとして機能する。
【００３４】
次に、画像読取部３は、図１に示すように、上面に送り読取用コンタクトガラス３１と、書籍等の原稿を１枚ずつ読み取る際に原稿を載置する載置読取用コンタクトガラス３２が配される。画像読取部３内には、ランプ、ミラー、レンズ、イメージセンサ等（不図示）が配される。イメージセンサは、送り読取用コンタクトガラス３１を通過する原稿、あるいは、載置読取用コンタクトガラス３２に載置された原稿の反射光を元に、原稿を読み取る。そして、イメージセンサは、反射光を画像濃度に応じたアナログの電気信号に変換し、その後、量子化を行い、原稿の画像データが得られる。尚、本実施形態の画像読取部３は、カラーでも読み取り可能であり、白黒でも読み取り可能である。
【００３５】
複合機１００本体内の複数の給紙部５ａは、それぞれ、各サイズ（例えば、Ａ４、Ｂ４等のＡ型、Ｂ型用紙等）、各種用紙（例えば、コピー用紙、再生紙、厚紙、ＯＨＰシート等）を複数枚収容する。各給紙部５ａは、それぞれ回転駆動する給紙ローラ５１を備え、印刷時、１枚ずつ搬送路５ｂに用紙を送り込む。
【００３６】
搬送路５ｂは、給紙部５ａから画像形成部６まで、装置内で用紙を搬送する通路である。そして、搬送路５ｂには、用紙の案内のためのガイド板や、用紙搬送時に回転駆動する搬送ローラ対５２（図３おいて、上方から５２Ａ、５２Ｂ、５２Ｃの計３つ）や、搬送される用紙を画像形成部６の手前で待機させ、形成されたトナー像の転写タイミングに合わせ用紙を送り出すレジストローラ対５３等が設けられる。
【００３７】
画像形成部６は、複数の画像形成ユニット６０（ブラック用の６０Ｂｋ、イエロー用の６０Ｙ、シアン用の６０Ｃ、マゼンタ用の６０Ｍ）と露光装置６１を含む。露光装置６１は、画像読取部３で読み取られた画像データや後述の記憶装置９２に記憶される画像データ等に基づき、レーザ光を点消灯しつつ出力し、各感光体ドラムを走査露光する。画像形成ユニット６０は、回転駆動可能に支持された感光体ドラムや、感光体ドラムの周囲に配設された帯電装置、現像装置、清掃装置等を備える。そして、各画像形成ユニット６０と露光装置６１によって、感光体ドラムの周面上にトナー像が形成される。
【００３８】
中間転写部７ａは、各画像形成ユニット６０からトナー像の１次転写を受け、シートに２次転写を行う。中間転写部７ａは、各１次転写ローラ７１Ｂｋ〜７１Ｍ、中間転写ベルト７２、駆動ローラ７３、複数の従動ローラ７４、２次転写ローラ７５、ベルト清掃装置７６等で構成される。各１次転写ローラ７１Ｂｋ〜７１Ｍは、対応する感光体ドラムと無端状の中間転写ベルト７２を挟み込む。各１次転写ローラ７１Ｂｋ〜７１Ｍには、転写用電圧が印加され、トナー像は中間転写ベルト７２に転写される。
【００３９】
中間転写ベルト７２は、駆動ローラ７３等に張架され、モータ等の駆動機構（不図示）に接続される駆動ローラ７３の回転駆動により周回する。中間転写ベルト７２は、又、駆動ローラ７３は、２次転写ローラ７５とで中間転写ベルト７２を挟み込む。各画像形成ユニット６０で形成されたトナー像（ブラック、イエロー、シアン、マゼンタの各色）は、順次、ずれなく重畳して中間転写ベルト７２に１次転写された後、所定の電圧を印加された２次転写ローラ７５により、シートに転写される。
【００４０】
定着部７ｂは、用紙に転写されたトナー像を定着させる。定着部７ｂは、主として、発熱体を内蔵する加熱ローラ７７とこれに圧接する加圧ローラ７８で構成される。そして、用紙が、加熱ローラ７７と加圧ローラ７８のニップを通過すると、トナーが溶融・加熱され、トナー像が用紙に定着する。定着部７ｂから排出された用紙は、排出トレイ８１又は後処理装置２方向に送られる。
【００４１】
排出搬送部８ａは、印刷済の用紙を後処理装置２方向、排出トレイ８１方向、両面搬送路８ｂ方向への用紙搬送方向の仕分る。そして、排出搬送部８ａには、用紙を後処理装置２に向けて送り出す排出ローラ対８２と、排出トレイ８１方向に送り出す、或いは、両面印刷のため逆回転しスイッチバックを行う排出ローラ対８３を有する。各排出ローラ対８２、８３は、回転駆動する。又、排出搬送部８ａは、用紙の搬送方向を切り替えるため、例えば、２つの切替弁８４、８５を有する。各切替弁８４、８５は回動し、操作パネル１等で指定された排出先に導き、或いは、両面印刷の際、片面印刷済みの用紙を両面搬送路８ｂに導く。
【００４２】
両面搬送路８ｂは、定着部７ｂの下流側と、レジストローラ対５３の上流側とを結ぶ。両面搬送路８ｂには、両面印刷のため、回転駆動する複数の両面搬送ローラ対８６（８６Ａ、８６Ｂ、８６Ｃの計３つ）が設けられ、片面印刷済の用紙が搬送される。
【００４３】
一方、図２に示すように、後処理装置２内には、用紙束を一時的に蓄えるスタック部２１、穿孔処理を行うパンチ部２２、スタック部２１の用紙束に対し、ステープル処理を行うステープル部２３（スタック方向から見て用紙先端側をステープル）、ステープル部２４（用紙後端側をステープル）、中折ユニット２５などが備えられる。スタック部２１は複数枚の用紙を積み重ねて束とする処理を行う。中折ユニット２５は、中綴じステープル部２５１を含み、中綴じステープル部２５１による処理により中央綴じされた用紙束を中央でステープルに沿って折り曲げる。
【００４４】
具体的に、後処理装置２での各処理を説明する。まず、複合機１００から後処理装置２に向けて排出された印刷済用紙は、後処理装置２の側面に設けられた搬入口２６を通って後処理装置２内に搬入される。又、搬入口２６の下流には、パンチ部２２が設けられる。パンチ部２２は、用紙に穿孔処理を行う。そして、パンチ部２２の下流には、回転駆動して用紙を搬送する搬送ローラ対２７Ａ、２７Ｂと、用紙の搬送先にあわせて回動する案内爪２８が設けられる。操作パネル１への入力等で、ステープル処理等を行う選択されている場合、案内爪２８は用紙を案内爪２８下方のスタック部２１に送り込むように回動する。その結果、用紙は、スタック部２１に向けて搬送される。尚、折曲処理を行う場合は、用紙は、スタック部２１でスタックされた後、更に下方の中折ユニット２５に向けて搬送される。
【００４５】
一方、穿孔処理やステープル処理等を行う選択がなされていない場合（後処理装置２で何ら処理を行わせない場合）や、操作パネル１で排出先を副排出トレイ２１０に設定した場合など、案内爪２８は、例えば、用紙を案内爪２８の上方の排出ローラ対２９に送り込むように回動する。その結果、用紙は、排出ローラ対２９から、副排出トレイ２１０に排出される。
【００４６】
スタック部２１はカバートレイ２１Ａ及びスタックトレイ２１Ｂからなる。そして、搬送されてきた用紙は、カバートレイ２１Ａとスタックトレイ２１Ｂとの間に通される。用紙はスタックトレイ２１Ｂの上面に積み重ねられる。カバートレイ２１Ａは、用紙束を上方から押さえるカバーとして機能する。スタックトレイ２１Ｂには、搬送されてきた用紙を受け止めるストッパ２１Ｃが設けられる。ストッパ２１Ｃは上下動し、スタックされた用紙束を上方、又は、下方に搬送する。
【００４７】
そして、スタック部２１に付随して、用紙の先端側（スタックされた用紙の下方側）をステープルするステープル部２３と、用紙の後端側（スタックされた用紙の上方側）をステープルするステープル部２４が設けられる。各ステープル部２３、２４は、例えば、用紙束の先端の一方の隅を斜め４５°に１箇所綴じる斜め綴じなどを行う。そして、スタック部２１は、ステープル処理等が施された用紙束を上方へと搬送し、主排出トレイ２１１に排出する。
【００４８】
スタック部２１の下方に、中折ユニット２５が配置される。操作パネル１への入力等で、折曲処理が選択されている場合、スタック部２１で一旦スタックされた用紙束は、中折ユニット２５に向けて搬送される。中綴じステープル部２５１は、用紙束の長手方向の中央を短手方向に沿って、例えば、２箇所ステープルで綴じる中央綴じ等を行える。中央綴じされた用紙束は、中折ユニット２５の突出棒２５２で折り曲げられた後、ブックレットトレイ２５３に排出される。
【００４９】
（操作パネル１）
次に、図３を用いて、本発明の実施形態に係る操作パネル１の一例を説明する。図３は本発明の実施形態に係る操作パネル１の一例を示す平面図である。
【００５０】
操作パネル１は、図１及び図３に示すように、複合機１００の正面上方に設けられ、複合機１００や後処理装置２の設定や動作指示を与えるためのメニューやキー（図５等参照）や複合機１００等の状態メッセージ等の各種画像、画面を表示する液晶表示部１１（表示部に相当）を有する。使用者は、液晶表示部１１に表示されたキーを押下して、複合機１００のコピーにおける各種設定や、後処理装置２の設定や動作指示を行える。例えば、使用者は、後処理装置２でステープル処理を行う指示や用紙の排出先を設定入力できる。
【００５１】
又、液晶表示部１１の上面にタッチパネル部１２（入力部に相当）が設けられ、タッチパネル部１２は、使用者が液晶表示部１１に押下した部分の位置、座標を検出するためのものである。このタッチパネル部１２を用いた検出座標と、液晶表示部１１に示される各種キーの位置、座標を比較し、使用者が押下して選択したキーが特定される。尚、タッチパネル部１２としては、抵抗膜方式、表面弾性波方式、赤外線方式、静電容量方式等、各方式のものを採用でき特に制限はない。
【００５２】
又、操作パネル１には、以下のようなハードとしてのキー（ボタン）が設けられる。例えば、数字入力用のテンキー部１３（入力部に相当）や、各種設定後、コピー等の処理開始指示用のスタートキー１４（入力部に相当）等が設けられる。又、コピー機能を利用する際に押下されるコピーキー１５（入力部に相当）、スキャナ機能、ＦＡＸ機能を利用する際に押下される送信キー１６（入力部に相当）等が設けられる。又、ワークフローの作成、登録やワークフローの呼び出しの際に押下されるワークフローキー１７（入力部に相当）も設けられる（詳細は後述）。このように、複合機１００の各機能について、各種設定、モード選択等を行うため、操作パネル１には、タッチパネル部１２や入力部としての各種ハードキーが備えられる。
【００５３】
（複合機１００等のハードウェア構成）
次に、図４を用いて、本発明の実施形態に係る複合機１００等のハードウェア構成の一例を説明する。図４は、本発明の実施形態に係る複合機１００等のハードウェア構成の一例を示すブロック図である。
【００５４】
まず、複合機１００の本体側から説明する。複合機１００本体内には、本体制御部９が設けられる。本体制御部９は、例えば、操作パネル１、原稿搬送装置４、画像読取部３、給紙部５ａ、搬送路５ｂ、画像形成部６、定着部７ｂ、排出搬送部８ａ等と接続され、これらの制御を行う。
【００５５】
本体制御部９は、例えば、ＣＰＵ９１等の素子を含む。ＣＰＵ９１は記憶装置９２（記憶部に相当）に格納され、展開される制御プログラムに基づき演算等を行い、複合機１００の各部を制御する。尚、本体制御部９は、全体制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明では、これらの本体制御部９をまとめた形態を示し、説明する。
【００５６】
記憶装置９２は、本体制御部９と接続される。記憶装置９２は、ＲＯＭ、ＲＡＭ、ＨＤＤ等の不揮発性と揮発性の記憶装置９２を組み合わせて構成される。記憶装置９２は、複合機１００の制御用プログラム、制御用データ、設定データ、画像データ等の各種データを記憶できる。又、特に本発明に関し、記憶装置９２は、作成したワークフロー（プログラムに相当）を記憶できる。尚、ワークフローとは、予め複数の設定項目の中から選択され、登録された設定項目の組み合わせであり、呼び出すことにより予め選択、登録された設定項目を設定するための画面を表示部に表示させるプログラムである（詳細は後述）。
【００５７】
そして、本体制御部９は、各種コネクタ、ソケットやＦＡＸモデム等を備えたインターフェイス部（以下、Ｉ／Ｆ部９３）と接続される。Ｉ／Ｆ部９３はネットワークや公衆回線等により複数の外部のコンピュータ２００（例えば、パーソナルコンピュータ）や相手方ＦＡＸ装置３００（図７では、いずれも便宜上１つのみ図示）と接続される。例えば、画像読取部３で得られた画像データを画像データを記憶装置９２に記憶させることや、外部のコンピュータ２００や相手方ＦＡＸ装置３００に送信することができる（スキャナ機能、ＦＡＸ機能）。又、外部のコンピュータ２００や相手方ＦＡＸ装置３００から送信され、複合機１００に入力される画像データに基づき印刷、ＦＡＸ送信等を行うこともできる（プリンタ機能、ＦＡＸ機能）。
【００５８】
又、本体制御部９は、操作パネル１になされた入力を認識し、使用者の設定にあわせてコピー等が行われるように複合機１００を制御する。操作パネル１で、後処理装置２を利用してステープルを行う設定や、副排出トレイ２１０に排出させる設定がなされると、例えば、本体制御部９は、排出搬送部８ａを制御し、印刷済用紙が後処理装置２に向けて搬送されるように、切替弁８４、８５を回動させる。又、例えば、操作パネル１で、複合機１００の胴内の排出トレイ８１に排出を行う設定がなされると、本体制御部９は、排出搬送部８ａを制御し、印刷済用紙が胴内の排出トレイ８１に搬送されるように、切替弁８４、８５を回動させる。
【００５９】
又、例えば、本体制御部９には、画像読取部３で原稿を読み取って得られた画像データやＩ／Ｆ部９３を介して複合機１００に入力された画像データに対し、画像処理を施す画像処理部９４が設けられる。画像処理部９４が処理した画像データは、例えば、露光装置６１に送信され、感光体ドラムの走査・露光に用いられる。
【００６０】
又、本体制御部９は、後処理装置２内に設けられ、後処理装置２の動作の制御を行う後処理制御部２０と通信可能に接続される。例えば、後処理制御部２０は、本体制御部９の指示に基づき、パンチ部２２やステープル部２３、２４等の動作を制御する。例えば、後処理制御部２０は、案内爪２８を回動させるモータの回転を制御する。そして、後処理制御部２０からの指示にあわせ（例えば、副排出トレイ２１０や主排出トレイ２１１への排出や、穿孔処理のためにスタック部２１への搬送等）、後処理装置２内のモータを正逆回転させ、用紙の搬送方向を制御する。
【００６１】
本実施形態の操作パネル１は、表示制御部１０、メモリ１０１（記憶部に相当）、ドライバ回路１０２、液晶表示部１１、タッチパネル部１２を有する。表示制御部１０は、ＣＰＵやＩＣ等で構成され、液晶表示部１１の表示を制御し、タッチパネル部１２の出力を受け、液晶表示部１１で押下された座標を特定する。タッチパネル部１２の出力と座標の対応を示すテーブル等のデータは、メモリ１０１に記憶される。表示制御部１０は、押下位置の座標と、各設定画面ＤＳの画像データを比較する等により、設定画面ＤＳ上で選択された（押下された）キーを特定、認識する。
【００６２】
具体的に、複合機１００の各機能の設定項目を選択し、設定値を設定するには、液晶表示部１１における最上層の表示から、液晶表示部１１に表示されるキーの選択を繰り返す。そして、キー選択ごとに、表示制御部１０は、液晶表示部１１の表示を切り換えさせ、最終的に、選択、設定しようとする機能の設定値が設定される。この機能の選択、設定が行われたことを表示制御部１０は認識し、その内容を本体の本体制御部９に送信する。これにより、操作パネル１で選択、設定された機能を反映した動作を本体制御部９が、画像形成部６等の各部に行わせ、使用者の意思が、印刷等において反映される（例えば、濃度設定や拡大縮小など）。
【００６３】
そして、液晶表示部１１が表示する画面、画像の画像データは、例えば、操作パネル１内のメモリ１０１に記憶される。従って、表示制御部１０は、設定項目の選択画面ＤＦや各設定画面ＤＳ中のキーが押下されるごとに、表示制御部１０は、次に表示すべき画面の画像データをメモリ１０１から読み出す。
【００６４】
又、液晶表示部１１が表示する画面、画像の画像データは、例えば、本体側の記憶装置９２に記憶させてもよい。この場合、操作パネル１は、液晶表示部１１で表示を行うための画像データを、本体制御部９を介し、記憶装置９２から受信する。この画像データを受けて、表示制御部１０は、液晶画面の表示を実際に制御するドライバ回路１０２に指示を与える。尚、操作パネル１には、ドライバ回路１０２や、液晶表示部１１やタッチパネル部１２だけを設け、表示制御部１０、メモリ１０１の機能を本体制御部９の構成（ＣＰＵ９１や記憶装置９２）に代用させても良い。
【００６５】
（ワークフローの作成、登録）
次に、図５〜図８を用いて、本発明の実施形態に係る複合機１００でのワークフローの作成、登録の概要を説明する。図５（ａ）、（ｂ）は、本発明の実施形態に係るの設定項目の選択画面ＤＦの一例を示す説明図である。図６は、本発明の実施形態に係る集約機能の設定項目を選択した際の設定画面ＤＳの一例を示す説明図である。図７（ａ）は、作成されたワークフローの名称入力画面Ｄ１の一例を示す説明図であり、（ｂ）は、ワークフローを呼び出す際の表示形式を定めるため表示形式決定画面Ｄ２の一例を示す説明図である。
【００６６】
本実施形態の複合機１００では、多数にわたる設定可能な機能を有し、多様な設定項目がある。そして、液晶表示部１１は、複数の設定項目のうちから設定を行う設定項目を選び出すための選択画面ＤＦを表示し、使用者は、印刷や送信で用いる設定項目（機能）を選ぶ（押下する）。例えば、液晶表示部１１は、各設定項目をキーとして表示する。又、液晶表示部１１は、選択された設定項目の設定値設定のための各設定画面ＤＳを表示する。使用者は各設定画面ＤＳに表示されるキーや、液晶表示部１１の周辺に配されたハードキー等を押下して、多種多様な機能選択、設定を行える。尚、設定項目及びその設定画面ＤＳの種類はあまりに多数にわたるため、便宜上、例として後述する場合を除き図示を避け、設定できる機能（設定項目）を以下に列挙するに留める。
【００６７】
まず、コピーとして利用する場合（コピーキー１５の押下でコピーモードとなる）、複合機１００には、例えば、原稿の画質（文字、写真、文字＋写真等）、コピー濃度、用紙選択、倍率、エコプリント、とじしろ、センター移動、枠消し、両面／分割（片面→両面、両面→片面、見開き→両面等）、小冊子、表紙付け、原稿セット向き、原稿サイズ、ソート、仕分け、白黒反転、鏡像印刷、ページ付け、イメージ合成、集約（２ｉｎ１、４ｉｎ１等）、余白追加、連続読込一括印刷、試しコピー、再コピー、ステープル、パンチ等の設定項目が用意される。使用者は、液晶表示部１１に表示される各設定項目の設定画面ＤＳへの入力により、設定項目内の設定値を設定する。
【００６８】
次に、複合機１００をスキャナとして利用する場合（送信キー１６の押下で複合機１００をスキャナとして利用できる）、例えば、複合機１００には、原稿サイズ、送信サイズ、解像度、原稿セット向き、保存ファイル形式、画質（濃度、カラーモード、圧縮率、写真や文字等の原稿の画質等）、分割、枠消し、ページ毎出力、連続読み込み、ファイル名入力、センター移動、送信先選択、送信先登録、パスワード、Ｅメール送信、相手方受信確認等の設定項目が用意される。使用者は、液晶表示部１１に表示される各設定項目の設定画面ＤＳへの入力により、設定項目内の設定値を設定する。
【００６９】
次に、複合機１００をＦＡＸとして利用する場合（送信キー１６の押下で複合機１００をスキャナとして利用できる）、例えば、複合機１００には、自局情報登録（ＦＡＸ番号、ＩＤ等）、ダイレクト送信、メモリ送信、回転通信、一括送信、Ｆコード通信、用紙切れ時受信、短縮番号、原稿濃度、原稿サイズ、送信先選択、送信先登録、リダイヤル、両面送信、拡大・縮小送信、予約送信、割込送信、時刻指定通信、ポーリング通信、中継送信、受信画像データの転送、暗号通信、通信結果通知、用紙サイズ確認、集約（２ｉｎ１等）、両面受信等の設定項目が容易される。使用者は、液晶表示部１１に表示される各設定項目の設定画面ＤＳへの入力により、設定項目内の設定値を設定する。
【００７０】
ここで、例えば、用紙の消費を抑えるため、集約と両面が組み合わせて設定される場合や、画像読取部３で読み取って得られた画像データの送信方法と特定の送信先など、使用者が複合機１００を利用する上で、頻繁に組み合わせられる設定項目が存在する。ところが、上記のように、複合機１００の有する設定項目（機能）は多岐にわたり、複合機１００を利用するたびに、同様の設定を行うことは煩わしく、利便性が悪い。
【００７１】
そこで、本実施形態の複合機１００では、予め頻繁に用いる設定項目の組み合わせを予め選択、作成し、設定項目の組み合わせをワークフローとして登録し、記憶部（記憶装置９２やメモリ１０１等）に記憶させることができる（詳細は後述）。そして、使用者は、記憶装置９２に記憶されたワークフロー（予め選択した設定項目や表示順や表示形式を示すデータを含むプログラム）を呼び出すと、予め選択した設定項目について設定するための画面が液晶表示部１１に表示される。そこで、以下に、ワークフローの作成、登録を説明する。
【００７２】
まず、図５（ａ）を用いて、コピー機能に関するワークフローの作成、登録を説明する。例えば、ワークフローキー１７が押下され、呼出画面Ｄ３で、登録／編集キーＫ３６が押下された後（図８参照）、コピーキー１５の押下等によって、コピーに関するワークフローの作成を指示する入力が操作パネル１になされると、コピーに関するワークフローの新規登録が開始される。
【００７３】
図５（ａ）は、コピー機能に関してのワークフローに含める設定項目の選択画面ＤＦ１の一例である。この選択画面ＤＦ１は、通常のコピーの設定時における設定項目の選択画面ＤＦ１と同様でよい。図５（ａ）に示すように、液晶表示部１１は、選択画面ＤＦ１内に、原稿／用紙／仕上げタブＴＢ１、画質タブＴＢ２、レイアウト／編集タブＴＢ３、応用／その他タブＴＢ４といった複数のタブを表示する。尚、タブは、更に複数種設けられてもよい。
【００７４】
例えば、原稿／用紙／仕上げタブＴＢ１が押下されると、液晶表示部１１は、図５（ａ）に示すように、原稿／用紙／仕上げに関する設定項目を表示する。各設定項目（機能）は、キーとして配される。例えば、原稿／用紙／仕上げタブＴＢ１を押下すると、読み取る原稿のサイズを設定するための原稿サイズキーＫ１や、印刷に用いる用紙を設定するための用紙選択キーＫ２や、載置読取用コンタクトガラス３２や原稿搬送装置４への原稿のセット向きを設定するための原稿セット向きキーＫ３や、複数部印刷する際の各ページの印刷順等を設定するためのソート／仕分けキーＫ４、ステープル処理に関して設定するためのステープルキーＫ５や、パンチ処理に関して設定するためのパンチキーＫ６や、排出先を設定するための排出先キーＫ７が配される。
【００７５】
又、図示はしないが、レイアウト／編集タブＴＢ３を押下すると、コピーでのページや画像のレイアウトや編集に関する設定項目（キー）が表示される（例えば、拡大縮小や集約や両面印刷等）。又、画質タブＴＢ２が押下されると、液晶表示部１１は、画質に関する設定項目（例えば、濃度設定）に対応する設定項目をキーとして表示する。又、応用／その他タブＴＢ４が押下されると、液晶表示部１１は、コピーに関する応用的な設定項目（例えば、鏡像印刷や白黒反転印刷等）をキーとして表示する。
【００７６】
次に、図５（ｂ）を用いて、送信機能（スキャナとしてのコンピュータや記憶部への画像データ送信やＦＡＸ送信）に関するワークフローの作成、登録を説明する。例えば、ワークフローキー１７が押下され、呼出画面Ｄ３で登録／編集キーＫ３６が押下され（図８参照）た後、送信キー１６の押下等によって、送信に関するワークフローの作成を指示する入力が操作パネル１になされると送信に関するワークフローの新規登録が開始される。
【００７７】
図５（ｂ）は、送信機能（スキャナとしてのコンピュータや記憶部への画像データ送信やＦＡＸ送信）に関してのワークフローに含める設定項目の選択画面ＤＦ２の一例である。この選択画面ＤＦ２も、通常の送信の設定時における設定項目の選択画面ＤＦと同様でよい。例えば、図５（ｂ）に示すように、液晶表示部１１は送信用の選択画面ＤＦ２内に、宛先タブＴＢ５、原稿／送信形式タブＴＢ６、カラー／画質タブＴＢ７、応用／その他タブＴＢ８といった複数のタブを表示する。尚、タブは、更に複数種設けられてもよい。
【００７８】
例えば、送信に関しても各設定項目は、キーとして配される。例えば、図５（ｂ）に示すように、原稿／送信形式タブＴＢ６が押下されると、読み取る原稿や画像データの送信形式に関する設定項目が表示される。例えば、液晶表示部１１は、読み取る原稿のサイズを設定するための原稿サイズキーＫ８や、送信する画像データのサイズを設定するための送信サイズキーＫ９や、原稿搬送装置４に載置される原稿のサイズが統一されていないとき、自動判別を行うかを設定するための原稿サイズ混載キーＫ１０や、原稿が片面印刷か両面印刷か、１ページ分の画像データに含めるページ数等を設定するための片面両面選択キーＫ１１や、送信する画像データの形式（例えば、ＰＤＦやＴＩＦＦ）等を設定するためのファイル形式キーＫ１２等が配される（他の設定項目のキーにも設定内容が割り振られるが、説明は割愛）。
【００７９】
又、図示はしないが、宛先タブＴＢ５を押下すると、画像読取部での読み取り等で得られた画像データの宛先に関する設定項目や設定画面ＤＳが表示される。（例えば、送信方法の区別や、アドレス帳等）。又、カラー／画質タブＴＢ７が押下されると、液晶表示部１１は、画質に関する設定項目（例えば、濃度や、フルカラーやグレーなどの送信画像データの色設定）に対応する設定項目をキーとして表示する。又、応用／その他タブＴＢ８が押下されると、液晶表示部１１は、送信に関する応用的な設定項目（例えば、枠消し等）をキーとして表示する。
【００８０】
これら選択画面ＤＦ（ＤＦ１、ＤＦ２等）で設定項目の設定が行われると、表示制御部１０は選択された設定項目内の設定値を設定するための設定画面ＤＳを液晶表示部１１に表示させる。尚、ワークフローの作成時の各設定画面ＤＳは、通常の複合機１００の利用時と同じでよい。そこで、設定項目（機能）を選択した際に表示される設定画面ＤＳの一例を図６に示す。図６では、コピーでの集約（２枚分や４枚分など複数枚分の原稿をそれぞれ縮小して１ページに収める）の設定項目（機能）を選択した場合の設定画面ＤＳの一例を示している。
【００８１】
例えば、集約の設定項目では、３画面分の設定画面ＤＳが用意される。まず、図６で最上段に示す集約の設定項目の設定画面ＤＳ１には、例えば、集約を行わない場合に押下される設定なしキーＫ１３、予め定められた方向で２枚の原稿を１ページに配列して印刷する場合に押下される２ｉｎ１キーＫ１４、２枚の原稿を１ページに収め、配列方向等、更に追加（オプション）の設定を行う場合に押下される２ｉｎ１キーＫ１５、予め定められた方向で４枚の原稿を１ページに配列して印刷する場合に押下される４ｉｎ１キーＫ１６、４枚の原稿を１ページに収め、配列方向等、更に追加（オプション）の設定を行う場合に押下される４ｉｎ１キーＫ１７などが配される。
【００８２】
そして、設定画面ＤＳ１でいずれかのキーが押下されると、表示制御部１０は、押下されたキーを白黒反転表示させる。又、設定画面ＤＳ１には、次キーＫ１８と前キーＫ１９が設けられる。設定画面ＤＳ１での集約に関するキーが押下された（選択された）状態で、次キーＫ１８が押下されると、選択されたキーに応じて、表示制御部１０は、画面の表示を切り替える。一方、前キーが押下されると、例えば、表示制御部１０は、設定項目の選択画面ＤＦに表示を切り替える。
【００８３】
例えば、設定なしキーＫ１３、２ｉｎ１キーＫ１４、４ｉｎ１キーＫ１６が選ばれた状態で、次キーＫ１８が押下されると、集約の設定項目については、これ以上定める必要がないので、選択画面ＤＦに戻ればよい。一方、２ｉｎ１キーＫ１５や４ｉｎ１キーＫ１７が押下されれば、更に設定を要するので、例えば、液晶表示部１１は、図６の中段に示す設定画面ＤＳ２を表示する。
【００８４】
図６の中段に示す設定画面ＤＳ２は、設定画面ＤＳ１で４ｉｎ１キーＫ１７が押下された際に表示され、集約されるページの配列順を定めるための画面である。尚、２ｉｎ１キーＫ１５が押下された状態で次キーＫ１８が押下された場合も、２ｉｎ１用の同様の設定画面ＤＳが表示される。
【００８５】
設定画面ＤＳ２では、集約されるページの配列順を定めるため、左上→右キーＫ２０や左上→下キーＫ２１や、右上→左キーＫ２２や、右上→下キーＫ２３が設けられる。そして、設定画面ＤＳ２でいずれかのキーが押下されると、表示制御部１０は、押下されたキーを白黒反転表示させる。又、設定画面ＤＳ２には、次キーＫ２４と前キーＫ２５が設けられる。設定画面ＤＳ２でのキーが押下された（選択された）状態で、次キーＫ２４が押下されると、表示制御部１０は、図６の最下段に示す設定画面ＤＳ３に液晶表示部１１の表示を切り替えさせる。一方、前キーＫ２５が押下されると、表示制御部１０は、設定画面ＤＳ１に表示を切り替えさせる（戻る）。
【００８６】
設定画面ＤＳ３では、集約の各ページの境界線を定めるための境界なしキーＫ２６、実線キーＫ２７、点線キーＫ２８、マークキーＫ２８が配される。境界なしキーＫ２６は、集約される各原稿のページの境界線を設けない場合に押下される。実線キーＫ２７は、集約される各原稿のページの境界線を実線で付す場合に押下される。点線キーＫ２８は、集約される各原稿のページの境界線を点線で付す場合に押下される。マークキーＫ２８は、集約される各原稿のページの隅部分についてのみ境界線を点線で付す場合に押下される。
【００８７】
そして、設定画面ＤＳ３でいずれかのキーが押下されると、表示制御部１０は、押下されたキーを白黒反転表示させる。又、設定画面ＤＳ３には、次キーＫ２９と前キーＫ３０が設けられる。設定画面ＤＳ３での境界線に関するキーが押下された（選択された）状態で、次キーＫ２９が押下されると、集約の設定項目については、これ以上定める必要がないので、表示制御部１０は、液晶表示部１１に選択画面ＤＦを表示させる。一方、前キーＫ３０が押下されると、表示制御部１０は、液晶表示部１１に設定画面ＤＳ２に表示を切り替えさせる（戻る）。
【００８８】
このように、表示制御部１０は、各設定画面ＤＳで使用者によって設定された設定値（押下された設定値を示すキー）を、ワークフローを呼び出した際のデフォルトの設定値として把握する。
【００８９】
このような、設定項目の選択やデフォルトの設定値の設定が繰り返された後、表示制御部１０は、ワークフローに含める設定項目の選択を終了する旨の入力が行われたかを確認する。ワークフローに含める設定項目の選択を終了する旨の入力は、複数種とできる。例えば、設定項目の選択画面ＤＦでのスタートキー１４の押下やワークフローキー１７の押下等、任意に定めることができる。
【００９０】
もし、ワークフローに含める設定項目の選択が終了する旨の入力が行われれば、表示制御部１０は、図７（ａ）に示すようなワークフローの名称入力画面Ｄ１を表示させる。例えば、使用者は、名称入力画面Ｄ１内のソフトキーボードを入力し、かな、漢字、アルファベット等でワークフローの名称を付ける入力を行う。そして、例えば、表示制御部１０は、次キーＫ３１が押下されたときの名称表示欄Ｄ１１に示された内容を作成中のワークフローに付ける名称と把握する。
【００９１】
ワークフローに付ける名称入力が完了すると、例えば、表示制御部１０は、図７（ｂ）に示すような表示形式決定画面Ｄ２を表示させる。表示形式決定画面Ｄ２は、作成したワークフローが呼び出されたときの表示形式を定めるための画面である。
【００９２】
例えば、使用者は、表示形式決定画面Ｄ２で、メニュー形式キーＫ３２（メニュー表示形式、詳細は後述）、ショートカット方式キーＫ３３（一覧表示形式、詳細は後述）、ウィザード形式キーＫ３４（ウィザード表示形式、詳細は後述）の何れかのキーを押下する。表示制御部１０は、次キーＫ３５が押下されたときに選ばれていたキーに対応する表示形式を作成中のワークフローの表示形式と把握する。
【００９３】
表示形式の選択入力がなされ、表示形式決定画面Ｄ２に表示される次キーＫ３５が押下されると、記憶装置９２又はメモリ１０１は、作成されたワークフローを記憶することにより、ワークフローが登録される。例えば、表示制御部１０は、ワークフローの名称、表示形式、含まれる設定項目、設定項目の表示順（ワークフロー作成時の設定項目の選択順と一致）、設定項目内のデフォルトの設定値等を示すデータを本体制御部９に送信し、記憶装置９２又はメモリ１０１がプログラムとして記憶する。
【００９４】
尚、テンプレートや先に登録されたワークフローを用いて新たなワークフローの作成、登録がなされてもよい。例えば、ワークフローキー１７が押下され、呼出画面Ｄ３で、登録／編集キーＫ３６が押下され（図８参照）た後、呼出画面Ｄ３に表示されたワークフローのうち、テンプレートや何れかのワークフローが押下されると、テンプレートや先に登録されたワークフローを用いた、新たなワークフローの作成、登録が開始される。
【００９５】
尚、テンプレートとは、複合機１００のメーカーが、ワークフローの目的別に、使用者に必要であり、使用者が選択すると思われる設定項目を選び出して作成したワークフローである。テンプレートを用いることで、複合機１００の操作に慣れていない使用者でも容易にワークフローを作成することができる。
【００９６】
テンプレートや先に登録されたワークフローを用いて新たなワークフローの作成、登録を行うと、新たに作成されるワークフローに含まれる設定項目は、テンプレートや先に登録されたワークフローに含められる設定項目と同じとなるが、例えば、デフォルトの設定値を変えることができる。尚、テンプレートや先に登録されたワークフローを用いて新たなワークフローの作成、登録を行う場合でも、新たな設定項目を追加できるようにしてもよい。
【００９７】
（ワークフローの呼出、利用）
次に、図８〜図１０を用いて、本発明の実施形態に係るワークフローの概要とワークフローの呼出、利用の一例を説明する。図８は、本発明の実施形態に係るワークフローを選ぶ際の呼出画面Ｄ３の一例を示す説明図である。図９は、ワークフローをウィザード形式で表示した際の流れの一例を示す説明図である。図１０は、ワークフローをメニュー形式で表示した際のメニュー画面Ｄ５の一例を示す説明図である。
【００９８】
例えば、使用者は、予め登録されたワークフローを呼び出す場合、ワークフローキー１７（図３参照）を押下する。そうすると、図８に示すように、予め登録されたワークフローのうち、用いる（呼び出す）ワークフローを選択するための呼出画面Ｄ３が液晶表示部１１に表示される。例えば、図８では、「きれいにコピー」、「節約コピー」、「かんたんＦＡＸ」、「かんたんメール」、「かんたんフォルダ」、「自分のフォルダへ保存」と名付けられたワークフローを示す画像が表示される。そして、各ワークフローを示す画像を押下することで、押下されたワークフローが記憶装置９２やメモリ１０１から呼び出され、液晶表示部１１にワークフローによる設定のための画面が表示される。
【００９９】
又、呼出画面Ｄ３の下方には、新たにワークフローを作成する場合などに押下される登録／編集キーＫ３６が配される。又、ワークフローの呼び出しを止めるためのキャンセルキーＫ３７も配される。又、図８で示すように、１画面中に表示できるワークフローには限りがある。そこで、次キーＫ３８を押下すると、次ページの呼出画面Ｄ３に切り替わる。そして、図８とは異なるワークフローを示す画像が表示される。又、前キーＫ３９を押下すると、前ページの呼出画面Ｄ３に切り替えられる。
【０１００】
次に、ワークフローを呼び出した際の表示、設定を説明する。尚、ワークフローを呼び出した際、設定のための画面の表示形式としては、設定項目を対話型で順次表示するウィザード表示形式、プログラムに含められた各設定項目を並列させて一覧表示する一覧表示形式、プログラムに含められた各設定項目を示す画像を一画面に表示するメニュー表示形式が用意される。そこで、表示形式ごとにワークフローの呼び出した際の概要を説明する。尚、ここでは、例えば、両面印刷、集約、印刷部数の設定項目を設定項目として含む「節約コピー」のワークフローを呼び出した際の表示、設定を説明する。
【０１０１】
［ウィザード表示形式］
まず、図９を用いて、ワークフローでのウィザード表示形式を説明する。例えば、図９は、図８における「節約コピー」のワークフローを呼び出した際のウィザード形式でのワークフローの一例を示している。
【０１０２】
このワークフローは、例えば、「両面／分割」と「集約」と「部数」の３つの設定項目が含まれるように作成、登録されている。又、ワークフローを呼び出した際、「両面／分割」→「集約」→「部数」の設定項目の順で表示される。
【０１０３】
ここで、各設定画面ＤＳでは、前キーＫ４０と次キーＫ４１がそれぞれ配される。前キーＫ４０が押下されると、液晶表示部１１は、１つ前の設定画面ＤＳを表示する。又、次キーＫ４１が押下されると、液晶表示部１１は、１つ先の設定画面ＤＳを表示する。使用者は、各設定画面ＤＳ内に配された設定用のキーを押下することで、各設定項目での設定値を設定することができる。例えば、図９に示すように、押下された設定用のキーは白黒反転（黒背景に白文字）状態で表示される。
【０１０４】
尚、ワークフローの作成、登録時には、各設定画面ＤＳを表示する際に、選択、設定されている設定値のデフォルト値を定めておくことができる。このデフォルト値は、ワークフローの一部として記憶装置９２に記憶される。例えば、集約では「４ｉｎ１」をデフォルト値とするように、ワークフローが作成された場合、両面／分割の設定項目から、初めて「集約」の設定画面ＤＳ１に表示を切り替えた際、図９に示すように、４ｉｎ１キーＫ１６は、既に選択されている状態として液晶表示部１１に表示される。
【０１０５】
最初の設定項目としての両面／分割では、設定画面ＤＳ４と設定画面ＤＳ５が用意される。設定画面ＤＳ４には、原稿が片面印刷で両面印刷を行わない場合に押下される片面→片面キーＫ４２、原稿が片面印刷で両面印刷を行う場合に押下される片面→両面キーＫ４３、原稿が両面印刷で片面ずつの分割印刷を行う場合に押下される両面→片面キーＫ４４、原稿が両面印刷で片面ずつの分割印刷を行わない場合に押下される両面→両面キーＫ４５、見開きページ中の１ページを１枚の用紙に分割して両面印刷する際に押下される見開き→両面キーＫ４６、原稿が書籍等の見開きページの原稿であり、見開きページ中の１ページを１枚の用紙に分割して片面印刷する際に押下される見開き→片面キーＫ４７等が配される。
【０１０６】
原稿の綴じ方向が分からなければ、適切に原稿の内容を分割して印刷できない場合がある。そこで、例えば、見開き→片面キーＫ４７や見開き→両面キーＫ４６が押下され、次キーＫ４１が押された場合、原稿の綴じ方向を設定するための設定画面ＤＳ５が表示される。この設定画面ＤＳ５では、例えば、左／右とじキーＫ４８や上／下とじキーＫ４９が設けられる。設定画面ＤＳ５の後、次キーＫ４１が押下された場合や、見開き→片面キーＫ４７や見開き→両面キーＫ４６以外のキーが押下され、次キーＫ４１が押された場合、集約の設定項目に関する設定画面ＤＳ１が表示される。尚、集約に関する設定項目については、図６を用いて説明したワークフロー作成時と同様なので説明を省略する。
【０１０７】
そして、集約の設定項目について設定が終わると、例えば、印刷部数の設定項目に関する設定画面ＤＳ６が表示される。設定画面ＤＳ６では、印刷部数表示欄ＤＳ６１が設けられ、印刷部数表示欄ＤＳ６１の下方にプラスキーＫ５０と、マイナスキーＫ５１が設けられる。プラスキーＫ５０は、印刷部数を増やす場合に押下され、マイナスキーＫ５１は、印刷部数を減らす場合に押下される。
【０１０８】
部数設定後、次キーＫ４１が押下されると、表示制御部１０は、液晶表示部１１に設定一覧Ｄ４を表示する。この設定一覧Ｄ４には、ワークフローに含まれる各設定項目と、各設定項目における設定値が表示される。又、設定一覧Ｄ４では、実行開始キーＫ５２と設定変更キーＫ５３が表示される。実行開始キーＫ５２を押下すると、本体制御部９は、設定一覧Ｄ４に示される内容を把握し、把握した内容で複合機１００を制御し、コピーが行われる。設定変更キーＫ５３が押下されると、例えば、再び、「両面／分割」の設定画面ＤＳ１が表示され、使用者は、ワークフローに含まれる設定項目について再度、設定を行える。
【０１０９】
［メニュー表示形式］
尚、参考までに、他の表示形式を説明しておく。まず、図１０を用いて、ワークフローでのメニュー表示形式を説明する。例えば、図１０は、両面／分割、集約、印刷部数の設定項目を設定項目として含む「節約コピー」のワークフローを呼び出した際のメニュー表示形式でのメニュー画面Ｄ５の一例を示している。
【０１１０】
図１０に示すように、メニュー表示形式では、例えば、「節約コピー」のワークフローを呼び出すと「両面／分割」のメニュー画像ｉ１、「集約」のメニュー画像ｉ２、「部数」（印刷部数）のメニュー画像ｉ３が表示される。従って、選択されるワークフローによって、メニュー画面Ｄ５に表示されるメニュー画像が異なることになる。そして、それぞれのメニュー画像には、デフォルトの設定値も表示される。このように、メニュー表示形式では、ワークフローに含まれる設定項目がメニューとして表示される。
【０１１１】
使用者は、設定値を変更したい設定項目のメニュー画像を押下する。これにより、液晶表示部１１の表示は、例えば、図９に示したような、設定項目ごとの設定画面ＤＳに切り替わる。そして、設定画面ＤＳでの設定が完了すると、液晶表示部１１の表示は、図１０に示すメニュー画面Ｄ５に再び切り替わる。
【０１１２】
又、メニュー画面Ｄ５には、ＯＫキーＫ５４とキャンセルキーＫ５５が配される。ＯＫキーＫ５４が押下されると、図９に示した設定一覧Ｄ４が液晶表示部１１に表示される。設定一覧Ｄ４の詳細は図９を用いて説明した場合と同様でよく、説明を省略する。一方、キャンセルキーＫ５５が押下されると、ワークフローを用いた設定がキャンセルされる。
【０１１３】
［一覧表示形式］
次に、図９を用いて、ワークフローでの一覧表示形式を説明する。この一覧表示形式では、図８の呼出画面Ｄ３で使用するワークフローを選択すると（押下すると）、いきなり、図９に示した設定一覧Ｄ４が液晶表示部１１に表示される。設定一覧Ｄ４の詳細は、図９を用いてウィザード表示形式で説明した場合と同様でよいので、説明を省略する。
【０１１４】
（ナビゲーション表示）
次に、図９及び図１１を用いて、本発明の実施形態に係る操作パネル１でのウィザード形式での表示の際に表示されるナビゲーション画像Ｎの一例を説明する。図１１（ａ）〜（ｄ）は、本発明の実施形態に係る操作パネル１でのウィザード形式での表示の際に表示されるナビゲーション画像Ｎの一例を示す説明図である。尚、本説明でも、両面／分割、集約、部数、設定項目が含まれるワークフローであり、呼び出した際、両面／分割→集約→部数の設定項目の順で表示されるワークフローを例に挙げて説明する。
【０１１５】
図９に破線で囲うように、表示制御部１０は、呼び出されたワークフローの表示形式がウィザード形式である場合、例えば、本実施形態の液晶表示部１１の右隅に、ワークフローの設定におけるナビゲーション画像Ｎを液晶表示部１１に表示させる。ナビゲーション画像Ｎは、ワークフローの全体像や現在位置や各設定項目での設定画面ＤＳ数を使用者に知らせるための画像である。尚、図９に示す例では、表示制御部１０は、ナビゲーション画像Ｎを液晶表示部１１の右上隅部分に表示させているが、右上隅部分に限らず、表示スペースがあれば、左上隅部分、左下隅部分、右下隅部分に表示させても良い。又、表示制御部１０は、ナビゲーション画像Ｎを、隅部分以外の場所に表示させても良く、ナビゲーション画像Ｎの表示位置は任意に定めればよい。
【０１１６】
図１１（ａ）〜（ｄ）は、図９での各破線部分を拡大したものである。図１１（ａ）は、ワークフローを呼び出し、両面／分割の設定項目の設定中のナビゲーション画像Ｎの一例を示す。図１１（ｂ）は、ワークフローを呼び出し、集約の設定項目の設定中のナビゲーション画像Ｎの一例を示す。図１１（ｃ）は、ワークフローを呼び出し、部数の設定項目の設定中のナビゲーション画像Ｎの一例を示す。図１１（ｄ）は、ワークフローを呼び出し、設定一覧Ｄ４を表示中のナビゲーション画像Ｎの一例を示す。尚、両面／分割や、集約の設定項目では、複数の設定画面ＤＳが用意されるが、両面／分割や集約の設定項目では、表示制御部１０は、各設定画面ＤＳで同じナビゲーション画像Ｎを表示させる。そのため、両面／分割や、集約の設定項目の設定中のナビゲーション画像Ｎを１種のみ示している。
【０１１７】
図１１（ａ）〜（ｄ）に示すように、各段階のナビゲーション画像Ｎには複数個の組み合わせ画像Ｃが含まれる。言い換えると、ナビゲーション画像Ｎは、組み合わせ画像Ｃの集合体である。各組み合わせ画像Ｃは、複数の画像を組み合わせて１セットの画像である。具体的に、各組み合わせ画像Ｃは、ブロック状の位置表示画像Ｃ１と画面数表示画像Ｃ２で構成される。
【０１１８】
又、各組み合わせ画像Ｃは、ワークフローに含まれる設定項目と対応する。又、各組み合わせ画像Ｃは、ワークフローでの表示順に横方向に並べて表示される。具体的には、図１１（ａ）〜（ｄ）に示す組み合わせ画像Ｃのうち、最も左に位置する組み合わせ画像Ｃは、両面/分割の設定項目に対応し、左から２番目に位置する組み合わせ画像Ｃは、集約の設定項目に対応し、左から３番目に位置する組み合わせ画像Ｃは、印刷部数の設定項目に対応する。
【０１１９】
ここで、最も右端（並べられた組み合わせ画像Ｃの後端）の組み合わせ画像Ｃは、設定一覧Ｄ４の表示画面に対応する。言い換えると、各ワークフローは、プログラム（ワークフロー）での設定が完了入力を受け付ける設定完了機能を設定項目の１つとして含む。そして、液晶表示部１１は、組み合わせ画像Ｃのうち、端位置に、設定完了機能の設定項目を示す組み合わせ画像Ｃを表示する。即ち、プログラム（ワークフロー）は、プログラムでの設定の完了入力を受け付ける設定完了機能を設定項目の１つとして含み、表示部（液晶表示部１１）は、プログラムが呼び出された際、並べて表示された設定項目を示す組み合わせ画像Ｃの端位置に、設定完了機能の設定項目を示す組み合わせ画像Ｃを表示する。
【０１２０】
図１１において、位置表示画像Ｃ１は、各組み合わせ画像Ｃのうちで、数字を含まない略矩形の図形である。一方、画面数表示画像Ｃ２は、各組み合わせ画像Ｃのうちで、数字を含む略矩形の図形である。尚、位置表示画像Ｃ１、画面数表示画像Ｃ２は、一例に過ぎず、円、楕円、多角形、模様、図柄等、他の形状であってもよく、任意に定めればよい。
【０１２１】
ここで、各位置表示画像Ｃ１のうち、設定一覧Ｄ４の表示画面に対応し、設定完了機能の設定項目にあたる右端位置の位置表示画像Ｃ１は、他の設定項目に対応する位置表示画像Ｃ１とことなる。例えば、図１１では、設定完了機能の設定項目にあたる右端位置の位置表示画像Ｃ１は、設定一覧Ｄ４が表示されるので、一覧表を模した図形として示している。即ち、表示部（液晶表示部１１）は、設定完了機能の設定項目を示す組み合わせ画像Ｃの位置表示画像Ｃ１を、他の組み合わせ画像Ｃの位置表示画像Ｃ１と異ならせて表示する。これにより、使用者は、並べて表示された組み合わせ画像Ｃのうち、いずれが最終の設定項目を示すか容易に把握できる。
【０１２２】
表示制御部１０は、各位置表示画像Ｃ１のうち、現在表示中（設定中）の設定項目に対応する位置表示画像Ｃ１を、他の位置表示画像Ｃ１と異なる態様で液晶表示部１１に表示させる。図１１に示す例では、液晶表示部１１は、現在表示中（設定中）の設定項目に対応する位置表示画像Ｃ１を明るく表示し、他の設定項目に対応する位置表示画像Ｃ１は暗く表示する。尚、明暗は逆でもよいし、位置表示画像Ｃ１の色を変えて現在位置が示されてもよい（例えば、現在表示中の設定項目に対応する位置表示画像Ｃ１を青や緑で表示し、表示していない設定項目に対応する位置表示画像Ｃ１を赤で表示する等）。即ち、表示部（液晶表示部１１）は、表示中の設定項目に対応する組み合わせ画像Ｃの位置表示画像Ｃ１と、表示していない設定項目に対応する組み合わせ画像Ｃの位置表示画像Ｃ１とを異ならせて表示する。
【０１２３】
そのため、図１１（ａ）の場合、液晶表示部１１は、両面／分割の設定項目に対応する最も左端に位置する位置表示画像Ｃ１を最も明るく表示する。そして、図１１（ｂ）の場合、液晶表示部１１は、集約の設定項目に対応する左から２番目に位置する位置表示画像Ｃ１を最も明るく表示する。又、図１１（ｃ）の場合、液晶表示部１１は、部数の設定項目に対応する左から３番目に位置する位置表示画像Ｃ１を最も明るく表示する。又、図１１（ｄ）の場合、液晶表示部１１は、設定完了機能の設定項目に対応する最も右端に位置する位置表示画像Ｃ１を最も明るく表示する。
【０１２４】
一方、画面数表示画像Ｃ２は、設定未完了の設定項目については、設定項目を設定する上で表示される設定画面ＤＳの数を示す。即ち、表示部（液晶表示部１１）は、設定未完了の設定項目に対応する画面数表示画像Ｃ２として、設定で表示され得る設定画面ＤＳ数を表示する。
【０１２５】
そのため、図１１（ａ）等に示すように、両面／分割の設定項目を設定する上で、例えば、２つの設定画面ＤＳが表示され得るので（図１０参照）、液晶表示部１１は、両面/分割に対応する最も左端に位置する画面数表示画像Ｃ２として「２」の数字を表示する。又、集約の設定項目を設定する上で、例えば、３つの設定画面ＤＳが表示され得るので（図６、図１０参照）、液晶表示部１１は、集約に対応する左から２番目に位置する画面数表示画像Ｃ２として「３」の数字を表示する。又、部数の設定項目を設定する上で、例えば、１つの設定画面ＤＳが表示されるので（図１０参照）、液晶表示部１１は、部数に対応する左から３番目に位置する画面数表示画像Ｃ２として「１」の数字を表示する。又、設定完了機能の設定項目を設定する上で、例えば、１つの設定画面ＤＳが表示されるので（図１０参照）、液晶表示部１１は、設定完了機能の設定項目に対応する右端に位置する画面数表示画像Ｃ２として「１」の数字を表示する。
【０１２６】
そして、図１１（ｂ）は、呼び出されたワークフローで、最初の設定項目（両面／分割の設定項目）の設定を終え、２番目の設定項目（集約の設定項目）を設定しているときのナビゲーション画像Ｎの一例を示す。図１１（ｃ）は、呼び出されたワークフローで、２番目の設定項目（集約の設定項目）の設定を終え、３番目の設定項目（部数の設定項目）を設定しているときのナビゲーション画像Ｎの一例を示す。図１１（ｄ）は、呼び出されたワークフローで、３番目の設定項目（部数の設定項目）の設定を終え、４番目（最後）の設定項目（設定完了の設定項目）を設定しているときのナビゲーション画像Ｎの一例を示す。
【０１２７】
図１１（ｂ）〜（ｄ）に示すように、設定中の設定項目に対応する位置表示画像Ｃ１は、他の位置表示画像Ｃ１よりも明るく表示される。これにより、使用者は、現在、設定を行っている設定項目は、全ての設定項目のうち、何番目にあたるか、あといくつの設定項目を設定する必要があるか等、ワークフローの設定での全体像を把握できる。
【０１２８】
又、図１１（ｂ）〜（ｄ）に示すように、設定が完了した設定項目に対応する画面数表示画像Ｃ２は、設定未完了の設定項目に対応する画面数表示画像Ｃ２とは、異なる位置、異なる態様で表示される。例えば、設定が完了した設定項目に対応する画面数表示画像Ｃ２は、塗り潰し画像に白抜文字の態様で示され、位置表示画像Ｃ１の上方に配される。即ち、表示部（液晶表示部１１）は、設定未完了の設定項目に対応する画面数表示画像Ｃ２と、設定が完了した設定項目に対応する画面数表示画像Ｃ２とを、位置表示画像Ｃ１に対し、異なる方向で配置して表示する。
【０１２９】
又、設定が完了して設定項目に対応する画面数表示画像Ｃ２は、実際の設定で表示された設定画面ＤＳの数を示す。即ち、表示部（液晶表示部１１）は、設定が完了した設定項目に対応する画面数表示画像Ｃ２として、設定で実際に表示された設定画面ＤＳの数を示す数字を表示する。例えば、図１１（ｄ）をみると、両面／分割の設定項目に対応する位置表示画像Ｃ１は、「２」の数字を示し、両面／分割の設定項目では、２つの設定画面ＤＳが表示されたことを示す。又、集約の設定項目に対応する位置表示画像Ｃ１は、「１」の数字を示し、集約の設定項目では、２ｉｎ１キーＫ１５や４ｉｎ１キーＫ１７が押下、選択されず、１つの設定画面ＤＳのみが表示されたことを示す。又、もとから１つの設定画面ＤＳしか用意されていない部数の設定項目に対応する位置表示画像Ｃ１も、「１」の数字を示し、１つの設定画面ＤＳのみが表示されたことを示す。
【０１３０】
このように、複数の組み合わせ画像Ｃからなるナビゲーション画像Ｎは、ワークフローで設定を行っていくに連れて変化する。そして、使用者は、位置表示画像Ｃ１によって、ワークフローの設定における現在位置や進捗状況を把握できる。又、使用者は、画面数表示画像Ｃ２によって、未設定の設定項目については、設定画面ＤＳの数、設定を完了した設定項目については、実際に表示された設定画面ＤＳの数を知ることができる。これにより、使用者は、ワークフローの設定完了までの作業量やおよその所要時間を把握できる。
【０１３１】
（ナビゲーション画像Ｎの表示制御）
次に、図１２を用いて、本発明の実施形態に係る複合機１００でのナビゲーション画像Ｎの表示制御の一例を説明する。図１２は、本発明の実施形態に係るナビゲーション画像Ｎの表示制御の一例を示すフローチャートである。
【０１３２】
まず、図１２のスタートは、ワークフローキー１７（図３参照）が押下され予め登録されたワークフローのうち、用いる（呼び出す）ワークフローを選択する入力を表示制御部１０が受け付け、かつ、そのワークフローの表示形式がウィザード表示形式である場合である。
【０１３３】
次に、表示制御部１０は、記憶装置９２やメモリ１０１にプログラムとして登録されたワークフローの内容を確認する（ステップ♯１）。そして、表示制御部１０は、液晶表示部１１に、設定項目の数と同数の組み合わせ画像Ｃを表示させる（ステップ♯２）。例えば、ワークフロー呼出当初は、図１１（ａ）に示すように、液晶表示部１１は、最初の組み合わせ画像Ｃの位置表示画像Ｃ１を明るくし、設定項目で表示されうる設定項目の数を示す画面数表示画像Ｃ２には、全て位置表示画像Ｃ１に対し下方に配置する。
【０１３４】
即ち、表示入力装置（操作パネル１）は、実行可能な複数種の機能を設定項目として表示する表示部（液晶表示部１１）と、予め複数の設定項目の中から選択され、登録された設定項目の組み合わせであり、呼び出すことにより予め選択、登録された設定項目を設定するための画面を表示部（液晶表示部１１）に表示させるプログラムを記憶する記憶部（記憶装置９２、メモリ１０１）と、プログラムの呼出及び表示入力装置になされる設定入力を受け付ける入力部（タッチパネル部１２等）と、を有し、表示部（液晶表示部１１）は、プログラムが呼び出された際、プログラム中で表示中であるか否かを示し、現在位置を示すための位置表示画像Ｃ１、及び、プログラムに含まれる設定項目を設定する上で表示される、又は、表示された設定画面ＤＳ数を示す画面数表示画像Ｃ２を組み合わせた組み合わせ画像Ｃを、プログラムに含まれる設定項目ごとに、プログラムでの設定項目の表示順に並べて表示する。
【０１３５】
次に、表示制御部１０は、ワークフローに含まれる全ての設定項目と、設定完了機能の設定項目を含め、全ての設定項目について設定が完了したかを確認する（ステップ♯３）。尚、ステップ♯２とステップ♯３の間では、設定画面ＤＳの切り替え等が行われ得る。例えば、表示制御部１０は、設定一覧Ｄ４の実行開始キーＫ５２が押下されたか否かを確認する。
【０１３６】
ワークフローでの全ての設定項目について設定が完了した場合（ステップ♯３のＹｅｓ）、例えば、表示制御部１０は、ワークフローでなされた設定を示すデータを本体制御部９に送信し、本体制御部９は、受信した設定を示すデータに基づき、ジョブを実行する（ステップ♯４）。例えば、集約印刷が設定されていれば、本体制御部９は、画像形成部６や画像処理部９４等を制御して集約印刷を複合機１００に行わせる。又、例えば、画像データ送信が設定されていれば、本体制御部９は、画像読取部３で原稿を読み取ることで得られた画像データに基づき、設定された送信先に、Ｉ／Ｆ部９３等から画像データを送信させる。ステップ♯４の後、本制御は終了すればよい。
【０１３７】
一方、ワークフローでの全ての設定項目について設定が未完了の場合（ステップ♯３のＮｏ）、表示制御部１０は、各種キーの押下等により１つの設定項目の設定完了（終了）で次の設定項目に移行する場合や、前キーＫ４０が押下される等により、ナビゲーション画像Ｎを変化させる必要があるかを確認する（ステップ♯５）。もし、ナビゲーション画像Ｎを変化させる必要が無ければ（ステップ♯５のＮｏ）、例えば、ステップ♯２に戻る。尚、ステップ♯５とステップ♯２の間では、設定画面ＤＳの切り替え等が行われ得る。
【０１３８】
一方、ナビゲーション画像Ｎを変化させる必要があれば（ステップ♯５のＹｅｓ）、例えば、設定が完了した設定項目の画面数表示画像Ｃ２の表示位置の変更等、表示制御部１０は、液晶表示部１１に、画面数表示画像Ｃ２の表示位置を切替させる（ステップ♯６）。又、例えば、設定が完了した設定項目の次の設定項目に対応する位置表示画像Ｃ１を明るくする等、表示制御部１０は、液晶表示部１１に、位置表示画像Ｃ１の表示を切り替えさせる（ステップ♯７）。そして、例えば、ステップ♯２に戻り、１つの設定項目の設定完了まで同様のナビゲーション画像Ｎが表示される。
【０１３９】
このようにして、本発明によれば、プログラム（ワークフロー）が呼び出された際、プログラム中で表示中であるか否かを示すための位置表示画像Ｃ１、及び、プログラムに含まれる設定項目を設定する上で表示される又は表示された設定画面ＤＳ数を示す画面数表示画像Ｃ２を組み合わせた組み合わせ画像Ｃが、設定項目ごとに設定項目の表示順に並べて表示される。使用者は、位置表示画像Ｃ１を確認することで、現在設定中の設定項目を認識することができる。又、各組み合わせ画像Ｃの画面数表示画像Ｃ２を確認することで、設定すべき設定値の数や、以後表示される設定画面ＤＳ数等、使用者は、全体像を把握できる。又、位置表示画像Ｃ１と、画面数表示画像Ｃ２を確認することで、あと何枚、画面を表示させれば完了するか、あと何回、設定値を設定すればよいか、どれほど設定を終えたか等、使用者は、プログラムにおける現在の進捗状況を正確に把握することができる。
【０１４０】
又、プログラム（ワークフロー）が呼び出された際、並べて表示された組み合わせ画像Ｃの端位置に、設定完了機能の設定項目を示す組み合わせ画像Ｃが表示される。これにより、使用者は、並べて表示された各組み合わせ画像Ｃを見て、プログラムにおいて、設定完了までの設定項目はいくつあるか、設定項目をどれほど設定し終えたか等を確認できる。又、表示中の設定項目に対応する組み合わせ画像Ｃの位置表示画像Ｃ１と、表示していない設定項目に対応する組み合わせ画像Ｃの位置表示画像Ｃ１とが異なって表示される。これにより、現在、表示されている設定画面ＤＳが、プログラム中、何番目の設定項目に該当するか等、使用者は、プログラムにおける現在位置を確認することができる。又、使用者は、プログラムにおける現在の進捗の位置を正確に把握することができる。
【０１４１】
又、設定未完了の設定項目に対応する画面数表示画像Ｃ２として、設定で表示され得る設定画面ＤＳ数を表示する。これにより、使用者は、設定未完了の設定項目での表示されうる設定画面ＤＳの数を把握することができる。従って、使用者は、プログラムの全体像や、プログラムにおける現在の進捗の位置を正確に把握することができる。又、設定が完了した設定項目に対応する画面数表示画像Ｃ２として、設定で実際に表示された設定画面ＤＳの数を示す数字が表示される。これにより、使用者は、設定が完了した設定項目で表示された設定画面ＤＳの数を把握することができる。
【０１４２】
又、設定未完了の設定項目に対応する画面数表示画像Ｃ２と、設定が完了した設定項目に対応する画面数表示画像Ｃ２とが、位置表示画像Ｃ１に対し、異なる方向で配置して表示される。これにより、使用者は、画面数表示画像Ｃ２が設定未完了の設定項目の設定画面ＤＳの数を示すものか、設定完了済の設定項目の設定画面ＤＳの数を示すものか、容易に区別することができる。又、設定完了機能の設定項目を示す組み合わせ画像Ｃの位置表示画像Ｃ１は、他の組み合わせ画像Ｃの位置表示画像Ｃ１と、異なった態様で表示される。これにより、使用者は、設定完了機能の設定項目を示す画像の位置表示画像Ｃ１を設定完了組み合わせ画像Ｃの位置表示画像Ｃ１であることを容易に認識することができる。又、使用者は、画像形成装置のプログラムの全体像を容易、正確に把握することができる。又、使用者は、画像形成装置のプログラムの設定を行う際、現在の進捗の位置を正確に把握することができる。
【０１４３】
本発明の実施形態を説明したが、本発明の範囲はこれに限定されるものではなく、発明の主旨を逸脱しない範囲で種々の変更を加えて実施することができる。
【産業上の利用可能性】
【０１４４】
本発明は、操作パネル１等の表示部と入力部を有する表示入力装置や、画像形成装置に利用可能である。
【符号の説明】
【０１４５】
１      操作パネル（表示入力装置）    １０１  メモリ（記憶部）
１１    液晶表示部（表示部）          １２    タッチパネル部（入力部）
９２    記憶装置（記憶部）            １００  複合機（画像形成装置）
Ｃ      組み合わせ画像                Ｃ１    位置表示画像
Ｃ２    画面数表示画像
【図１】
2011164726.tif 000003
【図２】
2011164726.tif 000004
【図３】
2011164726.tif 000005
【図４】
2011164726.tif 000006
【図５】
2011164726.tif 000007
【図６】
2011164726.tif 000008
【図７】
2011164726.tif 000009
【図８】
2011164726.tif 000010
【図９】
2011164726.tif 000011
【図１０】
2011164726.tif 000012
【図１１】
2011164726.tif 000013
【図１２】
2011164726.tif 000014